(57)【要約】【課題】  本発明は、モニタ一体型ＤＶＤプレーヤ１の本体２をフックベルト４０に対して直接取り付けると共に、当該本体２の使い勝手を損なわないようにする。【解決手段】  本発明は、本体２の底面２Ｃに設けられた４個の設置足２０Ａ〜２０Ｄと、当該設置足２０Ａ〜２０Ｄの内周側に取付用の機器側フック２１Ａ〜２１Ｄとを設けることにより、機器側フック２１Ａ〜２１Ｄにフックベルト４０を引っ掛けて直接取り付けることができると共に、本体２の使い勝手を損なわないようにすることができる。【選択図】        図１
2005182903.tif 000002
【特許請求の範囲】
【請求項１】
機器本体の底面における所定箇所に設けられた複数個の設置足と、
上記複数個の設置足の内周側に設けられた取付用の機器側フックと
を具えることを特徴とする電子機器。
【請求項２】
上記機器側フックは、上記設置足の表面から突出しないように設けられている
ことを特徴とする請求項１に記載の電子機器。
【請求項３】
上記設置足には、上記機器側フックと被取付対象の係合部とを係合させ易くするための切欠部が設けられている
ことを特徴とする請求項１に記載の電子機器。
【発明の詳細な説明】
【技術分野】
【０００１】
本発明は、電子機器に関し、例えばモニタ一体型ＤＶＤ(Digital Versatile Disc)プレーヤに適用して好適なものである。
【背景技術】
【０００２】
従来、モニタ一体型ＤＶＤプレーヤにおいては、携帯可能なポータブルタイプの据え置き型が主流であり、これを車内に持ち込んで使用することが行われている。
【０００３】
図１１に示すように、モニタ一体型ＤＶＤプレーヤ１１０を後部座席のユーザが視聴するためには、当該モニタ一体型ＤＶＤプレーヤ１１０を所定のカバーケース１００に収納し、当該カバーケース１００の裏側に設けられた取付用の機器側フック（図示せず）に対して、前部座席の背中側に取り付けられたフックベルト１０１、１０２の係合部を合計４箇所引っ掛けることにより掛止するようになされている（例えば、非特許文献１参照）。
【非特許文献１】「ＡＵＤＩＯＶＯＸ」社製、型番「UBP3800」の製品取扱説明書（発行国：ＵＳＡ、発行年月日：２００３／春頃）
【発明の開示】
【発明が解決しようとする課題】
【０００４】
ところで上述のような方法でモニタ一体型ＤＶＤプレーヤ１１０を使用するには、後部座席の背中側に機器本体１１１を直接取り付けることができないので必ずカバーケース１００に当該モニタ一体型ＤＶＤプレーヤ１１０の機器本体１１１を収納しなければならず、当該機器本体１１１の外観がカバーケース１００によって一部隠蔽されたり、その結果操作ボタンが使い難くなったり、表示部が見え難くなることもあり、使い勝手が悪いという問題があった。
【０００５】
本発明は以上の点を考慮してなされたもので、電子機器の機器本体を被取付対象に対して直接取り付けると共に、当該機器本体の使い勝手を損なうことのない電子機器を提供しようとするものである。
【課題を解決するための手段】
【０００６】
かかる課題を解決するため本発明においては、機器本体の底面における所定箇所に設けられた複数個の設置足と、複数個の設置足の内周側に設けられた取付用の機器側フックとを具えることにより、機器側フックに引っ掛けることができる被取付対象が存在すれば当該被取付対象に対して機器本体自体を直接取り付けることができると共に、機器本体の使い勝手を損なわないようにすることができる。
【発明の効果】
【０００７】
本発明によれば、機器本体の底面における所定箇所に設けられた複数個の設置足と、複数個の設置足の内周側に設けられた取付用の機器側フックとを具えることにより、機器側フックに引っ掛けることができる被取付対象が存在すれば当該被取付対象に対して機器本体自体を直接取り付けることができると共に、機器本体の使い勝手を損なわずに済む電子機器を実現することができる。
【発明を実施するための最良の形態】
【０００８】
以下、図面について、本発明の一実施の形態を詳述する。
【０００９】
（１）モニタ一体型ＤＶＤプレーヤの全体構成
図１及び図２（Ａ）及び（Ｂ）において、１は全体として本発明の電子機器であるモニタ一体型ＤＶＤプレーヤを示し、本体２と、当該本体２と一体形成された表示部３とによって構成されている。
【００１０】
この本体２は、正面２Ａに電源ボタン４、ＤＶＤの装着口５、イジェクトボタン６及び各種操作ボタン７が設けられ、本体２の上部に開閉自在及び回動自在な表示部３が取り付けられると共にスピーカ８が取り付けられ、裏面２Ｂに電源コードの取付口９や接続ケーブルのコネクタ接続口１０が設けられている。
【００１１】
また図３及び図４に示すように表示部３は、本体２から支持部１１を介して立ち上げられた状態で、当該支持部１１の内部に設けられたヒンジ部を介して１８０度回動するようになされており、これによりモニタ一体型ＤＶＤプレーヤ１は図３又は図５（Ａ）及び（Ｂ）に示すように表示部３をユーザの使用状態に合わせた向きに変えることができるようになされている。
【００１２】
ところで図１及び図５（Ｂ）に示したように本体２の底面２Ｃには、設置足２０Ａ〜２０Ｄが底面２Ｃから突出した状態で４点設けられており、水平な台のうえに本体２が置かれた場合に安定感を持たせると共に、放熱孔２４及び２５が塞がれてしまうことを防止するようになされている。
【００１３】
この設置足２０Ａ〜２０Ｄは、その内部に内周側空間を有するほぼ円筒形状で構成され、その内周側空間には被取付対象と引っ掛けられる係止用の機器側フック２１Ａ〜２１Ｄが設けられていると共に、当該機器側フック２１Ａ〜２１Ｄに対応した切欠部２２Ａ〜２２Ｄが形成されている。
【００１４】
この切欠部２２Ａ〜２２Ｄは、設置足２０Ａ〜２０Ｄの内周側空間に設けられた機器側フック２１Ａ〜２１Ｄの長手方向に対して直交方向に底面２Ｃまでの深さでそれぞれ２箇所形成されており、これにより機器側フック２１Ａ〜２１Ｄに対して後述するフックベルトが容易に係止されるようになされている。
【００１５】
（２）機器側フックの構造
次に、機器側フック２１Ａ〜２１Ｄの構成を図６を用いて説明する。この機器側フック２１Ａ〜２１Ｄは金属製部材からなり、かつ全て同一構成であるため、ここでは機器側フック２１Ａについてのみ説明し、他の機器側フック２１Ｂ〜２１Ｄについては説明を省略する。
【００１６】
機器側フック２１Ａは、本体２の底面２Ｃと一体形成された設置足２０Ａの内周側空間に配置され、当該機器側フック２１Ａにおける両側の足部３１が本体２の内面側にあるフックホルダ２７を介してフック固定ネジ２６により取付固定される。これにより機器側フック２１Ａは、当該機器側フック２１Ａと底面２Ｃとの間に空間３３が形成され、当該空間３３に対して後述するフックベルトが挿通されて係止される。
【００１７】
なお、このとき機器側フック２１Ａの底面２Ｃからの高さは、設置足２０Ａの底面２Ｃからの高さとほぼ同一か若しくはそれよりも低く設定されており、設置足２０Ａが台上に置かれたときに、機器側フック２１Ａが設置足２０Ａから突出してモニタ一体型ＤＶＤプレーヤ１の安定性が損なわれることのないように考慮されている。
【００１８】
（３）フックベルトの構造
一方、図７に示すように後部座席に取り付けられているフックベルト４０は、ベルト部４１と当該ベルト部４１の先端に取り付けられた係合部４２によって構成されている。
【００１９】
このフックベルト４０は、前部座席におけるヘッドレストのアームから背中側へ２個取り付けられると共に、座席下部から背中側へ２個取り付けられ、合計４個の係合部４２がモニタ一体型ＤＶＤプレーヤ１における本体２の底面２Ｃに設けられた４点の機器側フック２１Ａ〜２１Ｄと引っ掛けられて係合するようになされている。
【００２０】
（４）取付状態
次に、モニタ一体型ＤＶＤプレーヤ１が前部座席の背中側に４箇所取り付けられたフックベルト４０に係止されるときの取付状態について図８を介して説明する。
【００２１】
モニタ一体型ＤＶＤプレーヤ１は、本体２の底面２Ｃの設置足２０Ａ〜２０Ｄの内周側空間に設けられた機器側フック２１Ａ〜２１Ｄ（図示せず）に対して、前部座席の背中側に取り付けられた４個のフックベルト４０の係合部４２が引っ掛けられることにより係止される。
【００２２】
このときモニタ一体型ＤＶＤプレーヤ１は、本体２に対して表示部３が図１に示したような状態に傾けられ、これにより前部座席における背中側の傾きに沿って本体２が取り付けられた場合でも、後部座席のユーザに対して見やすい角度で表示部３の映像を視聴させることができるようになされている。
【００２３】
（５）動作及び効果
以上の構成において、モニタ一体型ＤＶＤプレーヤ１は本体２の底面２Ｃと一体形成した設置足２０Ａ〜２０Ｄの内周側空間に、前部座席の背中側に取り付けられた４箇所のフックベルト４０を係止するための機器側フック２１Ａ〜２１Ｄを設けるようにしたことにより、従来のようにカバーケース１００（図１１）にモニタ一体型ＤＶＤプレーヤ１を収納することなく後部座席のフックベルト４０を介して前部座席の背中側に直接取り付けることができる。
【００２４】
これによりモニタ一体型ＤＶＤプレーヤ１は、その外観がカバーケース１００によって一部隠蔽されて操作ボタンが使い難くなったり、表示部が見え難くなることもなく、使い勝手が損なわれることを予め防止することができる。
【００２５】
またモニタ一体型ＤＶＤプレーヤ１は、設置足２０Ａ〜２０Ｄの内周側空間を有効利用して機器側フック２１Ａ〜２１Ｄを設けるようにしたことにより、本体２の底面２Ｃ上に設けられた設置足２０Ａ〜２０Ｄとは個別に機器側フック２１Ａ〜２１Ｄを設けるためのスペースを底面２Ｃに必要とすることもなく、かつ外観上の景観を損ねることもない。
【００２６】
さらに機器側フック２１Ａ〜２１Ｄは、本体２の底面２Ｃから設置足２０Ａ〜２０Ｄの高さとほぼ同一かそれよりも低く形成されているので、モニタ一体型ＤＶＤプレーヤ１がフックベルト４０に係止されるのではなく台上に直接載置させられる場合であっても安定性が損なわれることもない。
【００２７】
同時に、モニタ一体型ＤＶＤプレーヤ１は、設置足２０Ａ〜２０Ｄに切欠部２２Ａ〜２２Ｄが形成されていることにより、機器側フック２１Ａ〜２１Ｄが当該設置足２０Ａ〜２０Ｄの内周側空間に設けられているにも係わらず、フックベルト４０の係合部４２が切欠部２２Ａ〜２２Ｄを介して機器側フック２１Ａ〜２１Ｄの空間３３に挿通されて容易に引っ掛けることができる。
【００２８】
このようにモニタ一体型ＤＶＤプレーヤ１は、設置足２０〜２３の内周側空間に機器側フック２１Ａ〜２１Ｄを設けることにより、本体２を台上に載置したときの安定性を損なうことなく、前部座席の背中側にフックベルト４０を介して取り付ける際にもカバーケース１００等を用いることなく直接取り付けることができる。
【００２９】
以上の構成によれば、モニタ一体型ＤＶＤプレーヤ１は、本体２の底面２Ｃにおける設置足２０Ａ〜２０Ｄの内周側空間に機器側フック２１Ａ〜２１Ｄを設けたことにより、本体２を前部座席のフックベルト４０に直接係止することができるので、車内空間を有効利用することができ、かつ操作性等を損なうことも防止することができる。
【００３０】
（６）他の実施の形態
なお上述の実施の形態においては、モニタ一体型ＤＶＤプレーヤ１の本体２の底面２Ｃに機器側フック２１Ａ〜２１Ｄを設けるようにした場合について述べたが、本発明はこれに限らず、表示部３と本体２とが必ずしも一体化されている必要はなく、表示部３と本体２とが別体に設けられ、そのそれぞれに機器側フック２１Ａ〜２１Ｄが設けられるようにしても良い。
【００３１】
また上述の形態においては、機器側フック２１Ａ〜２１Ｄにフックベルト４０を引っ掛けて係止することにより本体２を取り付けるようにした場合について述べたが、本発明はこれに限らず、例えば壁等に取り付けられた取付フックや、棒状部材を機器側フック２１Ａ〜２１Ｄの空間３３に挿通して引っ掛けて係止することにより取り付けるようにしても良い。これにより、モニタ一体型ＤＶＤプレーヤ１は壁等にも容易に取り付けることもできる。
【００３２】
さらに上述の実施の形態においては、本発明の金属製部材からなる機器側フック２１Ａ〜２１Ｄを設置足２０Ａ〜２０Ｄの内周側空間に取付固定するようにした場合について述べたが、本発明はこれに限らず、機器側フック２１Ａ〜２１Ｄと設置足２０Ａ〜２０Ｄを樹脂等で一体形成するようにしても良い。
【００３３】
さらに上述の実施の形態においては、機器側フック２１Ａ〜２１Ｄを本体２の底面２Ｃにおける４箇所の設置足２０Ａ〜２０Ｄの内周側空間に４個設けるようにした場合について述べたが、本発明はこれに限らず、例えば図１０（Ａ）及び（Ｂ）に示すように設置足５０Ａ〜５０Ｃ、設置足６０Ａ〜６０Ｃを２対１の割合で３点設け、その内周側空間にそれぞれ機器側フック５１Ａ〜５１Ｃ、機器側フック６１Ａ〜６１Ｃを設けるようにしても良い。
【００３４】
さらに上述の実施の形態においては、機器側フック２１Ａ〜２１Ｄを設置足２０Ａ〜２０Ｄの内周側空間に取付固定するようにした場合について述べたが、本発明はこれに限らず、機器側フック２１Ａ〜２１Ｄを可動式にして必要に応じて内周側空間から引っ張り出し、不要なときには内周側空間に収納することができるような構造としても良い。
【００３５】
この場合、フックベルト４０と係止する際には機器側フック２１Ａ〜２１Ｄを引っ張りだして使用するので、設置足２０Ａ〜２０Ｄには切欠部２２Ａ〜２２Ｄを形成する必要がなくなる。
【００３６】
さらに上述の実施の形態においては、両側に設けられた２箇所の足部３１をフックホルダ２５（図６）を介して取付固定した機器側フック２１Ａ〜２１Ｄを用いるようにした場合について述べたが、本発明はこれに限らず、片一方にだけ設けられた足部３１をフックホルダ２５を介して取付固定するような片持ち式構造の機器側フックを用いるようにしても良く、ベルトフック４０の係合部４２と引っ掛けることができれば他の種々の形状でなる機器側フックを用いるようにしても良い。
【００３７】
さらに上述の実施の形態においては、設置足２０Ａ〜２０Ｄに対して切欠部２２Ａ〜２２Ｄをそれぞれ２箇所形成するようにした場合について述べたが、本発明はこれに限らず、１箇所のみ形成したり、複数箇所形成するようにしても良い。
【００３８】
さらに上述の実施の形態においては、本発明の電子機器をモニタ一体型ＤＶＤプレーヤに適用するようにした場合について述べたが、本発明はこれに限らず、ＣＤ(Compact Disc)プレーヤ、ゲーム装置、パーソナルコンピュータ等のその他種々の電子機器に適用するようにしても良い。
【００３９】
さらに上述の実施の形態においては、本発明の電子機器をポータブルのモニタ一体型ＤＶＤプレーヤ１に適用するようにした場合について述べたが、本発明はこれに限らず、家庭用の据え置き型として使用される各種電子機器に適用するようにしても良い。
【産業上の利用可能性】
【００４０】
本発明の電子機器は、例えば被取付対象に引っ掛けるようにして取り付けるものであれば車載用に限らず家庭用の電子機器にも適用することができる。
【図面の簡単な説明】
【００４１】
【図１】本発明のモニタ一体型ＤＶＤプレーヤの全体構成（１）を示す略線的斜視図である。
【図２】モニタ一体型ＤＶＤプレーヤの全体構成（２）を示す略線的斜視図である。
【図３】表示部の開状態を示す略線的斜視図である。
【図４】表示部の回転状態を示す略線的斜視図である。
【図５】表示部が反転した状態を示す略線的斜視図である。
【図６】機器側フックの構造を示す略線的断面図である。
【図７】フックベルトの構造を示す略線図である。
【図８】取付状態を示す略線的斜視図である。
【図９】他の実施の形態における取付状態を示す略線的斜視図である。
【図１０】他の実施の形態における機器側フックの配置例を示す略線的斜視図である。
【図１１】従来のモニタ一体型ＤＶＤプレーヤの使用例を示す略線的斜視図である。
【符号の説明】
【００４２】
１、１１０…モニタ一体型ＤＶＤプレーヤ、２……本体、３……表示部、２０Ａ〜２０Ｄ……設置足、２１Ａ〜２１Ｄ、５０Ａ〜５０Ｃ、６０Ａ〜６０Ｃ……機器側フック、２２Ａ〜２２Ｄ……切欠部、４０……フックベルト。
【図１】
2005182903.tif 000003
【図２】
2005182903.tif 000004
【図３】
2005182903.tif 000005
【図４】
2005182903.tif 000006
【図５】
2005182903.tif 000007
【図６】
2005182903.tif 000008
【図７】
2005182903.tif 000009
【図８】
2005182903.tif 000010
【図９】
2005182903.tif 000011
【図１０】
2005182903.tif 000012
【図１１】
2005182903.tif 000013